(57)【要約】      （修正有）【課題】木造建築の小屋組に用いる角材に所定角度の勾配を電動丸鋸工具により切断形成するときに使用する電動丸鋸工具の勾配定規に係り、断面逆Ｌ字型の勾配定規本体に対して案内バーを所定角度傾斜させることにより角材に所定勾配を簡単に切断形成できるようにした電動丸鋸工具の勾配定規を提供する。【解決手段】案内バー３を断面逆Ｌ字型の勾配定規本体２の垂直板２２の外側に固定し垂直板から外方に延びて内方に反転するとともに勾配定規本体の角部に当接させた状態で勾配定規本体の水平板２１に対して所定角度上方に傾斜させるようにした電動丸鋸工具の勾配定規１を構成し、簡単な構造で取扱いの容易な勾配定規により、木造建築の小屋組みに用いるむな木、もや、軒げた等の角材に所定角度の勾配を確実に形成できるようにした。【選択図】図５
2008149571.tif 000002
【特許請求の範囲】
【請求項１】
電動丸鋸工具によりむな木、もや、軒げた等の角材の角部を切断して所定角度の勾配を形成するときに電動丸鋸工具のベース部に固定して使用する勾配定規であって、水平板と垂直板とからなる断面逆Ｌ字型の勾配定規本体と、電動丸鋸工具のベース部に固定する案内バーとを備え、案内バーは垂直板の外側に固定し垂直板から外方に延びて内方に反転するとともに勾配定規本体の角部に当接させた状態で水平板に対して所定角度上方に傾斜していることを特徴とする電動丸鋸工具の勾配定規。
【請求項２】
案内バーは垂直板から外方に延びて内方に反転する反転部から勾配定規本体に当接する途中に上下に回動可能に調節できる調節部を設け、垂直板への取付位置を上下方向で段階的に可変にしたことを特徴とする請求項１に記載の電動丸鋸工具の勾配定規。
【請求項３】
案内バーと垂直板とは、一方に水平に設けられた鞘状であって上下方向中央に開口部を備えた係合溝と、他方に係合溝の開口部を左右に移動できる支持部材を介して水平に設けられ断面が係合溝に係合する形状であって係合溝の端部からスライドさせて係合溝に係合する芯材とにより、着脱自在に固定したことを特徴とする請求項１又は２に記載の電動丸鋸工具の勾配定規。
【請求項４】
垂直板から外方に延びて内方に反転するとともに反転部から勾配定規本体に当接する途中に上下に回動可能に調節できる調節部を設けた一つの案内バーと、複数の勾配定規本体とから構成し、案内バーを各勾配定規本体に固定したとき案内バーの水平板に対する傾斜角度が勾配定規本体ごとにそれぞれ異なるようにしたことを特徴とする請求項３に記載の電動丸鋸工具の勾配定規。
【請求項５】
案内バーと、勾配定規本体と、板材の側面を摺動する案内面を有する切断幅用本体とから構成し、切断幅用本体の外側面に案内バーを着脱自在に固定する固定手段を設けて切断幅用本体に案内バーを固定することにより、電動丸鋸工具で板材を所定切断幅に切断可能とした切断幅定規に兼用可能としたことを特徴とする請求項３に記載の電動丸鋸工具の勾配定規。
【請求項６】
切断幅用本体の固定手段は上下方向の中心から所定寸法離して水平に設けるとともに切断幅用本体を上下逆にしても案内バーを固定可能に形成し、切断幅用本体の上端と案内バーとの位置関係を、当接するときと隙間が開くときとを選択可能にしたことを特徴とする請求項５に記載の電動丸鋸工具の勾配定規。
【請求項７】
切断幅用本体に案内バーを固定したとき、案内バーは切断幅用本体から外方に延びて内方に反転するとともに反転部から切断幅用本体側へ延びる途中に上下に回動可能に調節できる調節部を設け、切断幅用本体を調節部により上方に回動して切断幅定規機能を停止可能とした請求項５又は６に記載の電動丸鋸工具の勾配定規。
【発明の詳細な説明】
【技術分野】
【０００１】
本発明は、木造建築の小屋組に用いるむな木、もや、軒げた等の角材に所定角度の勾配を電動丸鋸工具により切断形成するときに使用する電動丸鋸工具の勾配定規に係り、特に断面逆Ｌ字型の勾配定規本体の水平板に対して案内バーを所定角度上方に傾斜させるようにした電動丸鋸工具の勾配定規に関するものである。
【背景技術】
【０００２】
従来、図１０に示す角度調節機構を備えた電動丸鋸工具が知られている（特許文献１参照）。
図１０において、７１は丸鋸刃、７２は丸鋸刃７１を回転駆動する電動機を収納した外枠、７３は丸鋸刃７１を覆う固定鋸刃カバー、７４は電動丸鋸工具のベース部、７５はベース部７４に設けた軸、７６は固定鋸刃カバー７３の先端に上下回動可能に連結した支持具、７７はベース部７４の先端に直立して設けた傾斜案内板、７８は軸７５を中心として傾斜案内板７７に穿設した円弧長穴、７９は円弧長穴に挿入したボルト、８０はボルト７９に螺合する蝶ナットで、さらに、図示していないが傾斜案内板７７の外周部には目盛線が刻印してあり、支持具７６には目盛線の傾斜角度を読取る基準となるマークを刻印している。
【０００３】
この従来の角度調節機構を備えた電動丸鋸工具を使用して木造建築の小屋組に用いるむな木、もや、軒げた等の角材に所定角度の勾配を電動丸鋸工具により切断形成する場合、蝶ナット８０を緩めて傾斜案内版７７の外周部の目盛線と支持具７６に刻印したマークとを目視で所定角度に合わせることにより行っていた。
【０００４】
しかし、この設定した角度の位置も切断作業を何度か行っているうちにずれてしまう欠点及び目視による誤差が生ずる欠点があり、これら欠点を解決するための電動丸鋸工具の角度調節機構として図１１に示すものが知られている（特許文献１参照）。
図１１において、傾斜案内板７７に軸７５を中心として第１の曲率で第１円弧長穴８１を穿設し、さらに軸７５を中心として第１の曲率とは異なる第２の曲率で第２円弧長穴８２を穿設し、第１円弧長穴８１の下端部８３と第２円弧長穴８２の上端部８４とを連結し、支持具７６にこの連結部と同一形状の長穴を設けている。
【０００５】
そして、丸鋸刃７１を右下方に傾斜させた状態から直角に戻したとき(ボルト７９は第１１図の矢印Ｂの方向に動く)にボルト７９が第１円弧長穴８１の下端部８３に当接し、丸鋸刃７１を左下方に傾斜させた状態から直角に戻したとき（ボルト７９は第１１図の矢印Ｃの方向に動く）にボルト７９が第２円弧長穴８２の上端部８４に当接する。図１１においてＯＡは軸７５とボルト７９の中心を結ぶ線である。
この改良した従来の角度調整機構は、傾斜案内板７７に穿設した第１円弧長穴８１の下端部８３又は第２円弧長穴８２の上端部８４にボルト７９を当接するだけで丸鋸刃７１とベース部７４とのなす角度を迅速かつ正確に設定するようにした電動丸鋸工具である。
【０００６】
また、電動丸鋸工具の角度定規として、図１２に示すものが知られている（特許文献２参照）。
図１２に示したものは、電動丸鋸工具の切断ガイドとなる定規部８５と、基部を定規部８５に軸８６で支持した基準部８７を備え、一方に軸８６を中心とした角度目盛８８を表示し、他方に角度目盛８８と対応する基準目盛線８９を設け、角度目盛形成側に軸８６を中心とした長穴９０を形成するとともに、長穴９０に挿通して他方側に螺合する固定ネジ９１を備え、ネジ頭部と他方側とで長穴形成部側を挟圧して両部を固定する丸鋸用角度定規で、所定角度位置に嵌合穴９２を形成し、背面側に位置する部材における嵌合穴９２と対応する位置に突出穴９３を設け、突出穴９３から突出して嵌合穴９２に嵌合する係止突起部９４を、背面部材の背面側に固定した片持ち弾性板に設けるとともに、背面部材の表面側露出箇所に片持弾性板の押圧操作摘み９５を設けている。なお、基準部９６には図示しないが材木の基準面に当接する基準面部を形成している。
【特許文献１】実願昭６０−１８０３７３号（実開昭６２−８７８０１号）のマイクロフィルム
【特許文献２】実用新案登録第３１１２８０６号  公報
【発明の開示】
【発明が解決しようとする課題】
【０００７】
図１０に示す電動丸鋸工具の角度調節機構は、目視で目盛線とマークとを合わせて傾斜角度を設定するため、使用中に角度がずれたり、目視による設定角度のばらつきが生ずるという問題があった。
また、図１０の改良型である図１１に示す電動丸鋸工具の角度調節機構は、傾斜角度をつけない状態（ベース部７４と丸鋸刃７１とを直角とした状態）に確実にリッセットすることができるようにしたもので、図１１に二点鎖線で丸鋸刃７１を示した位置に傾斜角度を設定するときは図１０と同様な問題があり使用中に傾斜角度がずれたり、目視による設定角度のばらつきが生ずるという問題が依然として存在するのである。
さらに、図１１に示す電動丸鋸工具の角度調節機構は、図１０に示す汎用の電動丸鋸工具の角度調節機構を特殊構造に改造したものであるから、汎用性が乏しくなるという新たな問題がある。
【０００８】
また、図１２に示す電動丸鋸工具の角度定規は、電動丸鋸工具の汎用性を犠牲にすることはないが、柱などの端部を長さ方向に対して傾斜角度で切断できるにすぎず、木造建築の小屋組に用いるむな木、もや、軒げた等の角材に所定角度の勾配を電動丸鋸工具により切断形成するときに使用することはできないという問題があった。
【０００９】
本発明は、このような従来の構成が有していた問題を解決しようとするものであり、案内バーを断面逆Ｌ字型の勾配定規本体の垂直板の外側に固定し垂直板から外方に延びて内方に反転するとともに勾配定規本体の角部に当接させた状態で水平板に対して所定角度上方に傾斜させるようにした電動丸鋸工具の勾配定規を構成し、簡単な構造で取扱いの容易な電動丸鋸工具の勾配定規により、木造建築の小屋組に用いるむな木、もや、軒げた等の角材に所定角度の勾配を確実に形成できるようにすることを目的としている。
【課題を解決するための手段】
【００１０】
請求項１に係る本発明は、電動丸鋸工具によりむな木、もや、軒げた等の角材の角部を切断して所定角度の勾配を形成するときに電動丸鋸工具のベース部に固定して使用する勾配定規であって、水平板と垂直板とからなる断面逆Ｌ字型の勾配定規本体と、電動丸鋸工具のベース部に固定する案内バーとを備え、案内バーは垂直板の外側に固定し垂直板から外方に延びて内方に反転するとともに勾配定規本体の角部に当接させた状態で水平板に対して所定角度上方に傾斜している電動丸鋸工具の勾配定規である。
【００１１】
請求項２に係る本発明は、請求項１に係る本発明の構成に加え、案内バーは垂直板から外方に延びて内方に反転する反転部から勾配定規本体に当接する途中に上下に回動可能に調節できる調節部を設け、垂直板への取付位置を上下方向で段階的に可変にした電動丸鋸工具の勾配定規である。
【００１２】
請求項３に係る本発明は、請求項１又は２に係る本発明の構成に加え、案内バーと垂直板とは、一方に水平に設けられた鞘状であって上下方向中央に開口部を備えた係合溝と、他方に係合溝の開口部を左右に移動できる支持部材を介して水平に設けられ断面が係合溝に係合する形状であって係合溝の端部からスライドさせて係合溝に係合する芯材とにより、着脱自在に固定した電動丸鋸工具の勾配定規である。
【００１３】
請求項４に係る本発明は、請求項３に係る本発明の構成に加え、垂直板から外方に延びて内方に反転するとともに反転部から勾配定規本体に当接する途中に上下に回動可能に調節できる調節部を設けた一つの案内バーと、複数の勾配定規本体とから構成し、案内バーを各勾配定規本体に固定したとき案内バーの水平板に対する傾斜角度が勾配定規本体ごとにそれぞれ異なるようにした電動丸鋸工具の勾配定規である。
【００１４】
請求項５に係る本発明は、請求項３に係る本発明の構成に加え、案内バーと、勾配定規本体と、板材の側面を摺動する案内面を有する切断幅用本体とから構成し、切断幅用本体の外側面に案内バーを着脱自在に固定する固定手段を設けて切断幅用本体に案内バーを固定することにより、電動丸鋸工具で板材を所定切断幅に切断可能とした切断幅定規に兼用可能とした電動丸鋸工具の勾配定規である。
【００１５】
請求項６に係る本発明は、請求項５に係る本発明の構成に加え、切断幅用本体の固定手段は上下方向の中心から所定寸法離して水平に設けるとともに切断幅用本体を上下逆にしても案内バーを固定可能に形成し、切断幅用本体の上端と案内バーとの位置関係を、当接するときと隙間が開くときとを選択可能にした請求項５に記載の電動丸鋸工具の勾配定規である。
【００１６】
請求項７に係る本発明は、請求項５又は６に係る本発明の構成に加え、切断幅用本体に案内バーを固定したとき、案内バーは切断幅用本体から外方に延びて内方に反転するとともに反転部から切断幅用本体側へ延びる途中に上下に回動可能に調節できる調節部を設け、切断幅用本体を調節部により上方に回動して切断幅定規機能を停止可能とした電動丸鋸工具の勾配定規である。
【００１７】
本発明による作用を以下に説明する。
請求項１に係る本発明の作用は、電動丸鋸工具のベース部に案内バーを固定して、電動丸鋸工具の刃を所定角度傾斜させ、勾配定規本体を角材に当接させてスライドさせれば、角材の角部を所定勾配で切断することができる。
【００１８】
請求項２に係る本発明の作用は、請求項１に係る本発明の作用に加え、案内バーの垂直板への取付位置を変更することにより角材の勾配を変更できる。
【００１９】
請求項３に係る本発明の作用は、請求項１又は２に係る本発明の作用に加え、案内バーと垂直板とは、着脱自在に固定しており、取外しが簡単である。
【００２０】
請求項４に係る本発明の作用は、請求項３に係る本発明の作用に加え、一つの案内バーと、複数の勾配定規本体のうちから必要な勾配の勾配定規本体を選択できる。
【００２１】
請求項５に係る本発明の作用は、請求項３に係る本発明の作用に加え、切断幅用本体に案内バーを固定することにより、電動丸鋸工具で板材を所定切断幅に切断することができる。
【００２２】
請求項６に係る本発明の作用は、請求項５に係る本発明の作用に加え、切断幅用本体を上下逆にして固定することにより、切断幅用本体の上端と案内バーとの位置関係を、当接するときと隙間が開くときとを選択することができる。
【００２３】
請求項７に係る本発明の作用は、請求項５又は６に係る本発明の作用に加え、切断幅用本体を調節部により上方に回動して切断幅定規機能を停止できる。
【発明の効果】
【００２４】
請求項１に係る本発明は、電動丸鋸工具によりむな木、もや、軒げた等の角材の角部を切断して所定角度の勾配を形成するときに電動丸鋸工具のベース部に固定して使用する勾配定規であって、水平板と垂直板とからなる断面逆Ｌ字型の勾配定規本体と、電動丸鋸工具のベース部に固定する案内バーとを備え、案内バーは垂直板の外側に固定し垂直板から外方に延びて内方に反転するとともに勾配定規本体の角部に当接させた状態で水平板に対して所定角度上方に傾斜しているようにしたから、簡単な構造で取扱いの容易な電動丸鋸工具の勾配定規を構成することができる。
また、請求項１に係る本発明の電動丸鋸工具の勾配定規を使用することにより、木造建築の小屋組に用いるむな木、もや、軒げた等の角材に所定角度の勾配を正確でかつ容易に形成することができる。
【００２５】
請求項２に係る本発明は、請求項１に係る本発明の効果に加え、案内バーは垂直板から外方に延びて内方に反転する反転部から勾配定規本体に当接する途中に上下に回動可能に調節できる調節部を設け、垂直板への取付位置を上下方向で段階的に可変にしたから、案内バーの垂直板への取付位置を変えることにより、複数の異なる勾配に切断することができる。
【００２６】
請求項３に係る本発明は、請求項１又は２に係る本発明の効果に加え、案内バーと垂直板とは、一方に水平に設けられた鞘状であって上下方向中央に開口部を備えた係合溝と、他方に係合溝の開口部を左右に移動できる支持部材を介して水平に設けられ断面が係合溝に係合する形状であって係合溝の端部からスライドさせて係合溝に係合する芯材とにより、着脱自在に固定したから、案内バーと垂直板とは、簡単に着脱でき、取外しにより収納、運搬が容易である。
【００２７】
請求項４に係る本発明は、請求項３に係る本発明の構成に加え、垂直板から外方に延びて内方に反転するとともに反転部から勾配定規本体に当接する途中に上下に回動可能に調節できる調節部を設けた一つの案内バーと、複数の勾配定規本体とから構成し、案内バーを各勾配定規本体に固定したとき案内バーの水平板に対する傾斜角度が勾配定規本体ごとにそれぞれ異なるようにしたから、簡単な構成の勾配定規本体を複数備えることにより、複数の異なる勾配に容易に切断することができる。
【００２８】
請求項５に係る本発明は、請求項３に係る本発明の効果に加え、案内バーと、勾配定規本体と、板材の側面を摺動する案内面を有する切断幅用本体とから構成し、切断幅用本体の外側面に案内バーを着脱自在に固定する固定手段を設けて切断幅用本体に案内バーを固定することにより、電動丸鋸工具で板材を所定切断幅に切断可能とした切断幅定規に兼用可能としたから、勾配定規を切断幅定規にも兼用することができる。
【００２９】
請求項６に係る本発明は、請求項５に係る本発明の効果に加え、切断幅用本体の固定手段は上下方向の中心から所定寸法離して水平に設けるとともに切断幅用本体を上下逆にしても案内バーを固定可能に形成し、切断幅用本体の上端と案内バーとの位置関係を、当接するときと隙間が開くときとを選択可能にしたから、切断幅定規として使用するとき、厚さの厚い木材を切断するとき切断用本体を木材の下方で案内することができて切断時の安定性、正確性を確保することができ、かつ厚さの薄い木材を切断するとき、切断用本体は確実に木材を捕らえて案内することができる。
【００３０】
請求項７に係る本発明は、請求項５又は６に係る本発明の効果に加え、切断幅用本体に案内バーを固定したとき、案内バーは切断幅用本体から外方に延びて内方に反転するとともに反転部から切断幅用本体側へ延びる途中に上下に回動可能に調節できる調節部を設け、切断幅用本体を調節部により上方に回動して切断幅定規機能を停止可能としたから、切断幅本体及び案内バーを電動丸鋸工具から取外すことなく、フリーで電動丸鋸工具により切断をすることができる。
【発明を実施するための最良の形態】
【００３１】
以下、本発明の実施の形態を添付した図面により詳細に説明する。
図１〜図５は、本発明の第一の実施の形態を示す図面であり、図１は勾配定規の斜視図、図２は図１における勾配定規本体を外側から見た斜視図、図３は図１における勾配定規本体を内側から見た斜視図、図４は図１における案内バーを水平にした状態での斜視図、図５は本発明の第一の実施の形態に係る勾配定規の使用状態を示す斜視図である。
図７〜図９は本発明の第二の実施の形態を示す図面である。
【００３２】
図１〜図５に基づき、本発明の第一の実施の形態に係る勾配定規について説明する。
図１において、１は、電動丸鋸工具のベース部に固定して使用する勾配定規であり、電動丸鋸工具によりむな木、もや、軒げた等の角材の角部を切断して所定角度の勾配を形成するときに使用する勾配定規である。
【００３３】
勾配定規１は、水平板２１と垂直板２２とからなる断面逆Ｌ字型の勾配定規本体２と、電動丸鋸工具のベース部に固定する案内バー３とを備えている。
案内バー３は垂直板２２の外側に固定し垂直板２２から外方に延びて内方に反転するとともに勾配定規本体２の角部に当接させた状態で水平板２１に対して所定角度上方に傾斜している。図１に示す傾斜は三寸勾配（１６．７度）である。
【００３４】
勾配定規本体２の詳細を図２及び図３に基づいて説明する。
勾配定規本体２はアルミニウム合金製で横幅が２５０ｍｍ、厚みが３ｍｍ、水平板２１の奥行が８０ｍｍ、垂直板２２の高さが７０ｍｍであり、垂直板２２の外側には水平に設けられ鞘状であって上下方向中央に開口部２３を備えた係合溝２４を有する固定具２５を取付板２６及びビス２７により取付けている。
固定具２５の垂直板２２への取付位置は、図３に示すように上下方向で２段階に可変にしており、図３に示す上段側が三寸勾配用、下段側が四寸勾配用である。
なお、図２において、２８は第一位置決めストッパー、２９は後記する第二の実施の形態における切断幅定規と部品を共用可能とするために切断幅定規として使用するときの第二位置決めストッパーであり、図３において３０は四寸勾配用のビス穴である。
【００３５】
次に、案内バー３の詳細を図４に基づき説明する。
案内バー３はステンレススチール製で、係合溝２４の開口部２３を左右に移動できる２本の支持部材３１を介して水平に設けられ断面が係合溝２４に係合する形状であって係合溝２４の端部からスライドさせて係合溝２４に係合する芯材３２により勾配定規本体２の垂直板２２に着脱自在に固定している（図１参照）。
また、案内バー３は、芯材３２を支持する支持部材３１の他端は断面逆Ｌ字状で平面視が先細状の支持板３３の上部を外方に突出し、支持板３３の先端に断面が四角形の案内バー本体３４を設け、芯材３２から１３０ｍｍ外方で上方内方に反転する円弧状の反転部３５を設けて案内バー本体３４を上方内方に反転させている。
【００３６】
案内バー本体３４は、横幅が１２ｍｍ、厚みが３ｍｍであり、反転部３５から勾配定規本体２に当接する途中に案内バー本体３４を上下に回動可能に調節できる調節部３６を設けている。
調節部３６は、その前後に第一ブロック体３７及び第二ブロック体３８を設けて案内バー本体３４をそれぞれビス３９により第一ブロック体３７及び第二ブロック体３８に固定し、第一ブロック体３７から一体に突出する薄板状の差込アーム４０と、第二ブロック体３８から一体に突出し差込アーム４０を挟み込む２枚の薄板状の受アーム４１と、ボルト挿入側の受アーム４１に設けた四角穴と、この四角穴に嵌りこむ部分が四角でその先にネジを備えたボルト４２と、ボルト４２と螺合する蝶ナット４３とから構成している。
【００３７】
このように構成した案内バー３を、勾配定規本体２に四寸勾配用として固定するときには、案内バー本体３４を調節部３６でボルト４２及び蝶ナット４３により図1の勾配よりも上向きに調節するのである。
この場合、図３における四寸勾配用ビス穴３０の位置で固定具２５、取付板２６及びビス２７により、垂直板２２に対し固定具２５及び案内バー３が図１の位置よりも下方となるように取付けるのである。
【００３８】
以上のように構成した本発明の第一の実施の形態に係る勾配定規１の使用態様を図５に基づいて説明する。
まず、勾配定規１の案内バー３における案内バー本体３４を勾配定規本体２の角部に当接させて案内バー本体３４の調節部３６の蝶ナット４３を締め付ける。そして、案内バー本体３４を電動丸鋸工具５１のベース部５２に設けられた角穴に挿通して蝶ナット５３で固定する。
【００３９】
次に、電動丸鋸工具５１のハンドル５４を左手で保持して、右手で勾配定規１の勾配定規本体２における水平板２１及び垂直板２２を角材６１の第一角部６２に密着させた状態で水平板２１及び垂直板２２をガイド面として角材６１の水平面６３及び垂直面６４をスライドさせながら、電動丸鋸工具５１を駆動して丸鋸刃５５により角材６１の第二角部６５を切断する。
なお、５６は電動丸鋸工具５１の電動機、５７は電動丸鋸工具５１の角度調節機構である。
【００４０】
このようにして、角材６１の第二角部６５に切断形成された勾配と、案内バー３における案内バー本体３４の勾配定規本体２の水平板２１に対する傾斜角度との関係を以下に説明する。
案内バー本体３４の勾配定規本体２の水平板２１に対する傾斜角度は、本発明の第一の実施の形態では三寸勾配（１６．７度）であり、この三寸勾配に対して直角に丸鋸刃５５が固定されているため、丸鋸刃５５は角材６１の水平面６３に対して７３．３度（垂直面に対して１６．７度）の傾斜角度となる。そして、角材６１の第二角部６５を切断後に図５の状態から角材６１を９０度左回転させると、角材６１の第二角部６５は三寸勾配（１６．７度）となり、木造建築の小屋組に用いるむな木、もや、軒げた等の角材を三寸勾配に切断形成したこととなるのである。
【００４１】
以上の第一の実施の形態では、案内バー本体３４における第二ブロック体３８から先端までの長さは６００ｍｍとしているが、勾配定規として使用する場合には、角材の断面における一辺の大きさ及び電動丸鋸工具のベース部の大きさを考慮して、例えば半分の３００ｍｍにすることができる。６００ｍｍとしているのは、下記の本発明の第二の実施の形態では、この案内バーを切断幅定規に兼用するためである。
また、案内バー本体３４には途中に調節部３６、第一ブロック体３７及び第二ブロック体３８を設けて案内バー本体３４を上下に回動可能に構成しているが、これら調節部３６、第一ブロック体３７及び第二ブロック体３８をなくしてもよい。その場合、案内バー本体は垂直板２２の外側に固定し垂直板２２から外方に延びて内方に反転するとともに勾配定規本体２の角部に当接させた状態で水平板２２に対して所定角度上方に傾斜するように製作すればよいのである。
【００４２】
さらに、第一の実施の形態では、係合溝２４を設けた固定具２５を形成して勾配定規本体２の垂直板２２に取付板２６により取付け、案内バー３は係合溝２４に係合する芯材３２、支持部材３１及び支持板３３を備えているが、案内バーの端部を勾配定規本体の垂直板に直接または適宜の部材を介して取付けても良く、また、係合溝２４を一体に垂直板２２に形成してもよい。
また、係合溝２４を勾配定規本体２に、芯材３を案内バーに設けているが、係合溝を案内バーに、芯材を勾配定規本体に設けてもよい。
【００４３】
さらに、第一の実施の形態では、勾配定規本体２の垂直板２２には、案内バー３の取付位置を上下方向で三寸勾配用と四寸勾配用との二段階に取付可能としているが、三段階以上にしてもよく、勾配定規本体を複数形成して、案内バーを各勾配定規本体に固定したとき案内バーの水平板に対する傾斜角度が勾配定規本体ごとにそれぞれ異なるようにしてもよい。
【００４４】
次に、本発明の第二の実施の形態に係る勾配定規を図６〜９に基づき説明する。
図６は切断幅用本体の斜視図、図７は図６における切断幅用本体を薄板切断に使用するときの斜視図、図８は図６における切断幅用本体を厚板切断に使用するときの斜視図、図９は図７における切断幅用本体の切断幅定規機能を停止した状態の斜視図である。
【００４５】
図６〜図９において、７は切断幅用本体であり、第二の実施の形態は、第一の実施の形態に、さらにこの切断幅用本体７を形成して、第一の実施の形態における勾配定規１に用いる案内バー３を兼用することにより、電動丸鋸工具５１を使用して切断幅定規としても使用できるようにしたのである。
切断幅用本体７は、図６に示すように、第一の実施の形態における勾配定規本体２の固定具２５と同じ構成であり、固定具２５に設けたビス２７用の穴がなくてもよい点が相違する。
【００４６】
切断幅用本体７は、アルミニウム合金製で横幅が２５０ｍｍ、高さが４０ｍｍ、厚みが３ｍｍであり、係合溝２４を上下方向中心線から一方側に７ｍｍずらして形成している。
係合溝２４を一方側にずらしたのは、切断幅用本体７による薄板及び厚板の切断時のガイドを確実にするためである。
【００４７】
薄板６６の切断時には、図７に示すように係合溝２４を下方側に位置させて案内バー３の芯材３２を係合溝２４の左側端部からスライドさせて第一位置決めストッパー２８に当接させて固定すれば、切断幅用本体７を垂直にし、案内バー３を水平（切断幅用本体と直角）にしたとき、切断幅用本体７の上端と案内バー３の底面とが当接して隙間がなく、切断幅用本体７により薄板６６の切断時の切断幅ガイドが確実にできる。
また、厚板６７の切断時には、図８に示すように係合溝２４を上方側に位置させて案内バー３の芯材３２を係合溝２４の左側端部からスライドさせて第二位置決めストッパー２９に当接させて固定すれば、切断幅用本体７を垂直にし、案内バー３を水平（切断幅用本体と直角）にしたとき、切断幅用本体７の上端と案内バー３の底面とに１４ｍｍの隙間が形成され切断幅用本体７が図７の状態よりも１４ｍｍ下方に位置するため、切断幅用本体７により厚板６７の切断時の切断幅ガイドが確実にできる。
【００４８】
次に、図９は合板のような幅の広い板を切断するときには、案内バー３の長さでは切断幅が不足する場合、案内バー本体３４に設けた調節部３６により切断幅用本体７を上方に回動して切断幅定規機能を停止可能にしたのである。
このように案内バー本体３４の調節部３６により切断幅用本体７を固定した状態で切断幅定規機能を停止してフリーの状態で電動丸鋸工具により切断をすることができるのである。
【００４９】
以上の第二の実施の形態では、切断幅用本体７を第一の実施の形態における勾配定規本体２とは、別個に構成したが、切断幅用本体を使用して切断幅定規機能を発揮させたいとき、勾配定規本体２におけるビス２７を外して垂直板２２から固定板２５を取外して、固定板２５を切断幅用本体として使用することもできる。
また、第二の実施の形態では、第一の実施の形態における勾配定規にさらに切断幅用本体７を加えて、勾配定規機能と切断幅定規機能とを達成するようにしたが、案内バーと切断幅本体とで電動丸鋸工具の切断幅定規とすることもできる。
【図面の簡単な説明】
【００５０】
【図１】本発明の第一の実施の形態に係る勾配定規の斜視図。
【図２】図１における勾配定規本体を外側から見た斜視図。
【図３】図１における勾配定規本体を内側から見た斜視図。
【図４】図１における案内バーの斜視図。
【図５】本発明の第一の実施の形態に係る勾配定規の使用状態を示す斜視図。
【図６】本発明の第二の実施の形態に係る切断幅用本体を示す斜視図。
【図７】図６における切断幅用本体を薄板切断に使用した状態を示す斜視図。
【図８】図６における切断幅用本体を厚板切断に使用した状態を示す斜視図。
【図９】図７における切断幅用本体の切断幅機能を停止した状態を示す斜視図。
【図１０】従来の角度調節機構を備えた電動丸鋸工具の斜視図。
【図１１】従来の電動丸鋸工具の角度調節機構の正面図。
【図１２】従来の電動丸鋸工具の角度定規の要部正面図。
【符号の説明】
【００５１】
１      勾配定規
２      勾配定規本体
３      案内バー
７      切断幅用本体
２１    水平板
２２    垂直板
２３    開口部
２４    係合溝
３１    支持部材
３２    芯材
３５    反転部
３６    調節部
５１    電動丸鋸工具
５２    ベース部
【図１】
2008149571.tif 000003
【図２】
2008149571.tif 000004
【図３】
2008149571.tif 000005
【図４】
2008149571.tif 000006
【図５】
2008149571.tif 000007
【図６】
2008149571.tif 000008
【図７】
2008149571.tif 000009
【図８】
2008149571.tif 000010
【図９】
2008149571.tif 000011
【図１０】
2008149571.tif 000012
【図１１】
2008149571.tif 000013
【図１２】
2008149571.tif 000014